(57)【要約】【課題】本発明は、滅菌ドレープで覆われた医療装置を楽な姿勢で移動でき、作業性の向上を図った医療装置における滅菌ドレープ密閉装置を提供する。【解決手段】有底筒状をなす滅菌ドレープＤの開口部ａを下方に向け医療装置Ｎの上部から被せた状態で、滅菌ドレープの開口部近傍部位を周方向に沿って挟み込んで開口部を密閉保持し、かつ医療装置の上下方向に沿って移動自在な第１のドレープ固定具１１と第２のドレープ固定具１２とからなる密閉機構１０を備え、この密閉機構をその位置で固定保持する固定保持部１３を具備する。【選択図】      図１
2006102224.tif 000002
【特許請求の範囲】
【請求項１】
有底筒状をなす滅菌ドレープの開口部を下方に向け医療装置の上部から被せた状態で、前記滅菌ドレープの開口部近傍部位を周方向に沿って挟み込み前記開口部を密閉保持するとともに、前記医療装置の上下方向に沿って移動自在な密閉手段と、
前記滅菌ドレープ開口部を密閉保持し医療装置における任意の位置に移動した前記密閉手段を、その位置で固定保持する固定保持手段と
を具備することを特徴とする医療器具における滅菌ドレープ密閉装置。
【請求項２】
前記密閉手段は、互いに上下に重ね合わされ、これらの間に滅菌ドレープを挟持固定する第１のドレープ固定具および第２のドレープ固定具を備え、
前記固定保持手段は、上部側の前記第１のドレープ固定具とともに滅菌ドレープを挟持固定する、下部側の前記第２のドレープ固定具に設けられる固定保持部であることを特徴とする請求項１記載の医療装置における滅菌ドレープ密閉装置。
【発明の詳細な説明】
【技術分野】
【０００１】
本発明は、たとえば内視鏡表示装置などの医療装置に被せられる滅菌ドレープにおいて、特に、滅菌ドレープの開口部を密閉するための密閉装置に関する。
【背景技術】
【０００２】
医療装置である、たとえば内視鏡表示装置は、内視鏡から得られる画像を見ることができる表示系と、この表示系を上下動自在に支持するアームと、このアームを支えるスタンドから構成されていて、前記スタンドには移動自在車が設けられ備品室と手術室との間を容易に移動可能となっている。  
手術にあたって、内視鏡等の直接的に用いられる手術用器具は全て滅菌されるが、内視鏡表示装置等の医療装置は構成上、滅菌することができない。そこで、前記内視鏡表示装置の外周を滅菌された状態と同等とするために、内視鏡表示装置を滅菌ドレープで覆う。前記滅菌ドレープは、滅菌処理されたポリエチレンフィルム等の合成樹脂材シートからなる有底筒状の袋体であり、医療装置の上から被せて、その開口部を下方に向ける。
【０００３】
この状態のままでは滅菌ドレープの開口部から空気および飛散する液体等が侵入してしまうので、開口部を縛って密閉する必要がある。通常、滅菌ドレープには緊縛用のテープが付属されていて、これで開口端近傍部位をアームに巻き付けて閉塞する。また、［特許文献１］には医療装置を構成するアームにロッドを設け、このロッドに滅菌ドレープの口金を装着して密閉する技術が開示されている。
【特許文献１】特開平７−２４１３００号公報
【発明の開示】
【発明が解決しようとする課題】
【０００４】
ところで、使用する所定の位置、たとえば手術室内には、術者や助手、看護婦等の手術に直接携わるスタッフである清潔域にある人と、それ以外の不潔域の人が存在していて、清潔域の人は滅菌されたものしか触れることができない。また、滅菌ドレープで覆った内視鏡表示装置を不潔域の人が手術室に搬入する際は、滅菌ドレープに触れないように注意を払わなければならない。  
そのため、不潔域の人は滅菌ドレープによって覆われていない装置部分、すなわち前記スタンドの下部を掴んで移動させることになる。必然的に、腰をかがめた不自然な姿勢が要求され、大変不便である。  
また、上述した［特許文献１］では、アームに設けたロッドの位置が固定され、滅菌ドレープ開口部の密閉箇所を任意に変動することができない。そのため、滅菌ドレープに覆われていない下部を掴んで移動しなければならず、作業性が悪い。
【０００５】
本発明は前記事情に着目してなされたものであり、その目的とするところは、滅菌ドレープで覆われた医療装置を楽な姿勢で移動でき、作業性の向上を図った医療装置における滅菌ドレープ密閉装置を提供しようとするものである。
【課題を解決するための手段】
【０００６】
上述の目的を満足するため本発明の医療装置における滅菌ドレープ密閉装置は、有底筒状をなす滅菌ドレープの開口部を下方に向け医療装置の上部から被せた状態で滅菌ドレープの開口部近傍部位を周方向に沿って挟み込んで開口部を密閉保持し医療装置の上下方向に沿って移動自在な密閉手段と、滅菌ドレープ開口部を密閉保持し医療器具における任意の位置に移動した密閉手段をその位置で固定保持する固定保持手段とを具備する。
【０００７】
前記密閉手段は、互いに上下に重ね合わされ、これらの間に滅菌ドレープを挟持固定する第１のドレープ固定具および第２のドレープ固定具を備え、前記固定保持手段は、下部側の前記第２のドレープ固定具に設けられる固定保持部であることを特徴とする請求項１記載の医療装置における滅菌ドレープ密閉装置。
【０００８】
本発明によれば、滅菌ドレープで覆われた医療装置を手術室に搬入する際など、必要に応じて医療装置の滅菌ドレープに覆われていない部分を広げられ、特に低姿勢にならずにすみ、一旦使用する所定の位置に搬入したあとは、最大限の範囲で滅菌ドレープは医療装置を覆うことができる。
【発明の効果】
【０００９】
本発明によれば、滅菌ドレープで覆った医療装置を移動する際に、楽な姿勢を保持した状態で移動可能とし、作業性の向上を図れる等の効果を奏する。
【発明を実施するための最良の形態】
【００１０】
以下、図面を参照して本発明の実施の形態に係る、医療装置における滅菌ドレープ密閉装置について説明する。  
図１ないし図６は本発明の一実施の形態を示していて、図１（Ａ）は医療装置である内視鏡表示装置Ｎと、この内視鏡表示装置Ｎに滅菌ドレープＤを被せた状態の図、図１（Ｂ）は内視鏡表示装置Ｎと、この内視鏡表示装置Ｎに被せた滅菌ドレープＤの開口部を密閉装置Ｍで密閉した状態の図、図２は滅菌ドレープ密閉装置Ｍの拡大した正面図、図３は同装置を拡大した断面図、図４はゴムリングＧの斜視図、図５（Ａ）は密閉装置Ｍに滅菌ドレープＤを取付ける直前状態の正面図、図５（Ｂ）は密閉装置Ｍに滅菌ドレープＤを挟み込んで固定した状態の正面図、図６は滅菌ドレープＤで覆った内視鏡表示装置Ｎを必要部位へ移動する際の状態を説明する図である。
【００１１】
図１（Ａ）（Ｂ）に示すように内視鏡表示装置Ｎは、移動自在車１が取付けられた台車２上に支柱であるスタンド３が立設され、このスタンド３の中間部に後述する滅菌ドレープ密閉装置Ｍが取付けられる。スタンド３の上端部にはダイ４の一端部が回動自在に設けられていて、ダイ４の他端部は水平方向に延出される。  
前記ダイ４の他端部には、パンタグラフアーム５の一端部が回動自在に支持されている。パンタグラフアーム５は他端部の上下位置が調整可能であり、この他端部に表示系６が回動自在に吊持される。すなわち、表示系６はスタンド３との距離を所定の範囲内で調整できるとともに、スタンド３に対して３６０°自由に位置の設定が可能であり、しかもその位置で３６０°自在に向きを変更できる。
【００１２】
このようにして構成される内視鏡表示装置Ｎに対して滅菌ドレープＤが被せられ、前記表示系６、パンタグラフアーム５、ダイ４およびスタンド３の大部分が滅菌ドレープＤによって覆われる。  
図１（Ａ）は、内視鏡表示装置Ｎに滅菌ドレープＤを単に被せただけの状態を示している。滅菌ドレープＤは、滅菌処理されたたとえばポリエチレンフィルム等の合成樹脂材シートからなる有底筒状の袋体であり、開口部ａを下方に向けて内視鏡表示装置Ｎの上から被せる。滅菌ドレープＤの開口部ａを図中矢印方向に引張って、この底部ｂを表示系６に当て、かつ可能な限り開口部ｂをスタンド３下部に移動する。
【００１３】
図１（Ｂ）は、滅菌ドレープＤを内視鏡表示装置Ｎに対して最大限引張ってから、滅菌ドレープ密閉装置Ｍを用いて滅菌ドレープＤの開口部ａ近傍部位を密閉した状態を示している。  
後述するように、滅菌ドレープ密閉装置Ｍは内視鏡表示装置Ｎに対し上下方向に沿って移動自在であり、たとえば図に二点鎖線で示す位置に変位可能である。また、滅菌ドレープＤの適宜部位にはテープＴが巻き付けられ、滅菌ドレープＤが内視鏡表示装置Ｎに対して固定されていると同時に、滅菌ドレープＤの膨みを抑えている。
【００１４】
つぎに、滅菌ドレープ密閉装置Ｍについて詳述する。  
図２に示すように、滅菌ドレープ密閉装置Ｍは、内視鏡表示装置Ｎのスタンド３に取付けられていて、密閉機構（密閉手段）１０および固定保持部（固定保持手段）１３とから構成される。  
前記密閉機構１０は、上下に接離自在に重ねられた状態の第１のドレープ固定具１１および第２のドレープ固定具１２を備えている。前記固定保持部１３は、ストッパノブ１５を備え、前記第２のドレープ固定具１２に一体に設けられる。  
各構成部品の上下位置関係として、第１のドレープ固定具１１が最も上位にあり、第２のドレープ固定具１２がその下位にあり、固定保持部１３が最も下位にある。なお、前記ストッパノブ１５は、固定保持部１３（すなわち、第２のドレープ固定具）をスタンド３に対して固定保持する。  
前記滅菌ドレープＤの開口部ａ近傍部位が、前記第１のドレープ固定具１１と第２のドレープ固定具１２との間に挟み込まれて固定保持され、滅菌ドレープ開口部ａが密閉される。なお説明すると、有底筒状をなす滅菌ドレープＤの開口部ａ近傍部位を折り曲げて第１のドレープ固定具１１と第２のドレープ固定具１２との間に介在させ、各ドレープ固定具１１，１２の周方向に沿って挟持させるようになっている。
【００１５】
図３に、各構成部品の断面形状を示している。  
第１のドレープ固定具１１は、中心軸に沿って前記スタンド３に挿通する孔部１１ａが貫通して設けられ、上端周面に沿って鍔部１１ｂが一体に突設される。下部周面に沿って凹部１１ｃが設けられ、ゴムリングＧが嵌め込まれる。ゴムリングＧは取付けねじｅによって第１のドレープ固定具１１における位置が固定される。前記ゴムリングＧの肉厚は前記凹部１１ｃの深さ寸法と少なくとも一致させ、もしくはある程度大に設定すると有利である。  
さらに、第１のドレープ固定具１１には中心軸から所定の半径距離の位置に、所定間隔を存して複数の取付け用凹陥部１７が、上面から所定の深さ寸法で設けられる。各取付け用凹陥部１７の底面と固定具１１底面との間に亘って、凹陥部１７の直径よりも小さい径の連通孔１８が設けられる。このことにより、第１のドレープ固定具１１の上面から底面に亘って取付け用凹陥部１７と連通孔１８が連通し、かつ固定具１１を貫通することになる。
【００１６】
一方、第２のドレープ固定具１２は、中心軸に沿って前記スタンド３に挿通する孔部１２ａが貫通して設けられる。下端周面に沿って第１のドレープ固定具１１の鍔部１１ｂと同一直径で同一厚さの鍔部１２ｂが一体に突設され、鍔部１２ｂ以外の部位は第１のドレープ固定具１１と同一直径で同一厚さに形成される。  
第２のドレープ固定具１２の上部周面に沿って凹部１２ｃが設けられ、肉厚が凹部１２ｃの深さ寸法と少なくとも一致させ、もしくはある程度大に設定すると有利であるゴムリングＧが嵌め込まれる。ゴムリングＧは取付けねじｅによって位置が固定される。
【００１７】
第２のドレープ固定具１２がスタンド３に対して組付けられた状態で、第１のドレープ固定具１１に設けられる連通孔１８と連通するよう、連通孔１８位置と同一半径で、かつ同一間隔を存した位置にねじ孔１９が設けられる。なお、第１のドレープ固定具１１に取付けられるゴムリングＧと、第２のドレープ固定具１２に取付けられるゴムリングＧとは全く同一のものである。  
前記取付け用凹陥部１７には、周部に沿ってコイルばね２０が嵌め込まれたピン２１が挿入される。このピン２１の先端部にはねじ部２１ａが設けられていて、ねじ部２１ａは連通孔１８を介して第２のドレープ固定具１２のねじ孔１９に螺着される。
【００１８】
この状態で、前記コイルばね２０は取付け用凹陥部１７内に収容されるとともに、取付け用凹陥部１７底面とピン２１上端に一体に設けられる頭部２１ｂとの間に介在し、第１のドレープ固定具１１底面を第２のドレープ固定具１２上面に密着するよう弾性的に押圧付勢している。  
図４は、前記ゴムリングＧを示す。前記第１、第２のドレープ固定具１１，１２の凹部１１ｃ，１２ｃに取付けられるゴムリングＧは、それぞれ一面側に複数の細かい凸部２２が設けられている。各ドレープ固定具１１，１２にゴムリングＧが取付けられた状態で凸部２２が互いに対向する。なお、図中２３は前記取付けねじｅが挿通する孔部である。
【００１９】
このようにして構成される密閉機構１０に対して、再び図３に示すように、前記固定保持部１３は、上述したように第２のドレープ固定具１２の下部に一体に設けられていて、中心軸に沿って前記スタンド３に挿通する孔部１４ａが貫通する。固定保持部１３の周面所定部位には、外周面から孔部に亘ってねじ孔１４ｂが貫通して設けられ、前記ストッパノブ１５のねじ部１５ａが螺着される。  
さらに、ストッパノブ１５には固定保持部１３から突出する端部に、ねじ部１５ａよりも直径の大きい摘み部１５ｂが一体に設けられている。この摘み部１５ｂを回動することにより、ねじ部１５ａ先端が固定保持部１３のねじ孔１４ｂ端面から突出して前記スタンド３周面に当接する。
【００２０】
スタンド３に対するストッパノブ１５の締め付け具合によっては、固定保持部１３の位置を固定保持することができ、すなわち固定保持部１３と一体の第２のドレープ固定具１２の位置を固定保持する。しかも、第２のドレープ固定具１２上に第１のドレープ固定具１１を載せた状態で可能である。  
当然、ストッパノブ１５のスタンド３に対する締め付け力を弛めることにより、固定保持部１３および第２のドレープ固定具１２を、第２のドレープ固定具１２上に第１のドレープ固定具１１を載せたまま、スタンド３の軸方向である上下方向に沿って移動自在となる。
【００２１】
このようにして構成される滅菌ドレープ密閉装置Ｍであって、前記滅菌ドレープＤの開口部ａ近傍部位を密閉するには以下に述べるようにして行う。  
図５（Ａ）に示すように、予め、ストッパノブ１５の先端がスタンド３に対して強固に押付けられ、固定保持部１３の位置が確実に固定されているか否かを確認する。そして、一方の手で第２のドレープ固定具１２のスタンド３に対する位置を保持し、他方の手で第１のドレープ固定具１１を持ち、図に矢印で示すようにスタンド３に沿って引き上げる。このとき、第１のドレープ固定具１１は鍔部１１ｂを備えているので、指が引っ掛り易く、作業し易い。  
ピン２１に嵌め込まれるコイルばね２０の弾性力に抗して第１のドレープ固定具１１を引き上げることになり、コイルばね２０はピン頭部２１ｂと取付け用凹陥部１７底面との間で圧縮変形する。なお、この作業は滅菌ドレープＤの下端部が第１のドレープ固定具１１にかかっていると行い難いので、滅菌ドレープＤを固定具１１よりも上方部位で仮保持してから行うとよい。
【００２２】
第２のドレープ固定具１２の位置は変更せず、第１のドレープ固定具１１の位置が上方に変位して、これら固定具１１，１２相互の間隔が拡大する。同時に、これら固定具１１，１２相互間にスタンド３の一部と、ピン１７の一部が露出する。  
図５（Ｂ）に示すように、第１のドレープ固定具１１に対する位置保持力を解除して、再び第２のドレープ固定具１２上に重ね合わせる。この作業前に、第１のドレープ固定具１１の位置を保持したまま、ここでは図示しない滅菌ドレープＤの開口部ａを引下げて滅菌ドレープ密閉装置Ｍ全体を覆う。
【００２３】
そして、滅菌ドレープＤの開口部ａ端から適宜離れた部位の全周に沿い内側に突出して折り畳み、いわゆるヒダ状となす。このヒダ状部分を第１の固定具１１底面と第２のドレープ固定具１２上面との間に介挿してから、第１のドレープ固定具１１に対する位置保持力を解除する。  
再び図２および図３に示すように、滅菌ドレープＤの開口部ａ近傍部位は第１のドレープ固定具１１と第２のドレープ固定具１２との間に挟持され固定状態になる。なお詳細に述べれば、滅菌ドレープＤは第１のドレープ固定具１１に設けられるゴムリングＧと、第２のドレープ固定具１２に設けられるゴムリングＧとの間に挟持固定される。それぞれのゴムリングＧの対向面には凸部２２が設けられて抵抗が大きいから、挟持された滅菌ドレープＤは容易には挟持位置から抜け出ることはない。
【００２４】
以上の作業を滅菌された状況下にある室内で行う。そして、手術開始のタイミングを待って使用する所定の位置に搬入する。  
図６は、滅菌ドレープＤで覆った内視鏡表示装置Ｎを使用する所定の位置に搬入する際の作業を説明している。  
すなわち、作業者（不潔域にいる人）は滅菌ドレープＤの開口部ａから内部に手を入れてストッパノブ１５を弛め、固定保持部１３をスタンド３に対し軸方向に沿って移動自在とする。このとき、滅菌ドレープＤの開口部ａ近傍部位は第１のドレープ固定具１１と第２のドレープ固定具１２との間に挟持固定されていることには変わりがない。
【００２５】
作業者は固定保持部１３を持って、図中矢印に示すようにスタンド３に沿って引き上げる。滅菌ドレープＤを破損しない程度の位置まで最大限引き上げてから、再び滅菌ドレープＤの開口部ａから内部に手を入れてストッパノブ１５を締め付ける。  
先に図１（Ｂ）で二点鎖線で示したように、滅菌ドレープＤの開口部ａ近傍部位を密閉した密閉装置Ｍがスタンド３の上部に位置し、滅菌ドレープＤの開口部ａから下部側のスタンド３部分は全て露出する。  
そこで作業者は露出したスタンド３部分を持って、内視鏡表示装置Ｎを清潔域である使用する所定の位置に搬入する。このとき、作業者は滅菌ドレープＤに触れないように注意するが、特に腰をかがめてスタンド３の低い部位を持つ必要がなく、通常の姿勢でスタンド３部位を持つことができるので疲れることがなく、作業性が良好である。
【００２６】
使用する所定の位置に到着したら、再び滅菌ドレープＤの開口部ａから手を差し入れてストッパノブ１５を弛める。そして、第２のドレープ固定具１２とともに固定保持部１３をスタンド３に沿って下方に移動し、滅菌ドレープＤを挟持固定した状態のままで各ドレープ固定具１１，１２を降下させる。  
滅菌ドレープ密閉装置Ｍを最大限引き降ろしたら、その位置でストッパノブ１５を締結固定する。滅菌ドレープＤは絞られて、無駄な膨らみを除去でき、作業空間の拡大に役立つ。この状態で内視鏡表示装置Ｎは手術の開始を待機することになる。
【００２７】
以上説明した滅菌ドレープ密閉装置Ｍによれば、コイルばね２０を設けて第１のドレープ固定具１１を第２のドレープ固定具１２に弾性的に押圧付勢するようにしたから、これらの接触面に設けられるゴムリングＧの凸部２２が弾性的に圧縮変形しながら滅菌ドレープＤを挟み込み、滅菌ドレープＤに対する摩擦になって確実に固定する。  
固定保持部１３にストッパノブ１５を備えることによって、滅菌ドレープＤの開口部ａ近傍部位を密閉保持したままスタンド３に沿って移動でき、不潔域の範囲が容易に広げられる。すなわち、使用する所定の位置へ内視鏡表示装置Ｎを搬入する際には、清潔域と不潔域との境界を高い位置に移動して、不潔域の範囲を広げることができる。
【００２８】
内視鏡表示装置Ｎの移動時には、減菌処理された滅菌ドレープＤに対して不潔域である作業者が接触しないように注意する必要があるが、特に、作業者は極端な低姿勢にならずにすみ、楽な姿勢で作業ができる。  
なお、内視鏡表示装置Ｎの表示系６に対し滅菌ドレープＤを固定保持するドレープ固定部品として、以下に述べるように構成するとよい。  
図７（Ａ）は内視鏡表示装置Ｎの表示系６を覆う滅菌ドレープＤに対する固定保持の構成図、図７（Ｂ）はドレープ固定部品３０Ａの斜視図である。  
表示系６の周面における所定部位に複数のドレープ固定部品３０Ａが取付けられる。すなわち、それぞれのドレープ固定部品３０Ａの一側部にねじ孔を備えたボス３１が設けられていて、表示系６内部から取付け用ねじ（いずれも図示しない）が挿通され、ボス３１は表示系６に螺着される。
【００２９】
ドレープ固定部品３０Ａは、側面視で半円状に曲成される取付け枠３２と、この取付け枠３２の底面部に一体に突設される前記ボス３１と、取付け枠３２に埋設される弾性部材３３とから構成される。弾性部材３３も断面半円状をなし、取付け枠３２に埋設された状態で取付け枠３２端部と同一高さの平面部を有する。そして、弾性部材３３の平面部から底部にかけて、かつ弾性部材３３の全長に亘ってドレープ固定溝３４が設けられる。  
ドレープ固定溝３４は、二つ折りした滅菌ドレープＤの部分がようやく挿入できる程度の細いスリット（溝）であり、先端部にはドレープ固定溝３４の幅寸法よりも大なる直径のドレープ保持部３５が設けられる。
【００３０】
このようなドレープ固定部品３０Ａを取付けた表示系６を、ドレープ固定部品３０Ａごと滅菌ドレープ６で覆う。すなわち、表示系６に対して滅菌ドレープＤをある程度緊張状態にして、滅菌ドレープ６を部分的にドレープ固定部品３０Ａの表面に密に接触させる。そして、ドレープ固定溝３４を指で広げ折り畳んだ滅菌ドレープＤを挿入する。あるいは、肉厚の薄いたとえば帯状の板体を使って滅菌ドレープＤ部分をドレープ固定溝３４に強制的に差し込んでもよい。  
ドレープ固定溝３４に挿入された滅菌ドレープＤ部分がドレープ保持部３５に到達し、かつ充分に収容されるまで挿入を継続する。全てのドレープ固定部品３０Ａにおいて同様の作業をなすことにより、滅菌ドレープＤは表示系６を覆うばかりでなく、確実にドレープ固定部品３０Ａに取付けられる。
【００３１】
図８（Ａ）は変形例としての内視鏡表示装置Ｎの表示系６を覆う滅菌ドレープＤに対する固定保持の構成図、図８（Ｂ）はドレープ固定部品３０Ｂの斜視図である。  
ここに示されるドレープ固定部品３０Ｂは、前記表示系６の表示部６Ａを除く全周囲に亘って取付けられる。ドレープ固定部品３０Ｂの構成と断面構造は先に図７（Ｂ）で示したものと同様、ボス３１と、取付け枠３２と、弾性部材３３とから構成され、弾性部材３３にドレープ固定溝３４およびドレープ保持部３５が設けられる。  
前記ドレープ固定部品３０Ｂを取付けた表示系６を、ドレープ固定部品３０Ｂごと滅菌ドレープＤで覆う。すなわち、表示系６に対して滅菌ドレープＤをある程度緊張状態にして、滅菌ドレープＤを部分的にドレープ固定部品３０Ｂの表面に接触させ、ドレープ固定溝３４を指で広げながら、もしくは肉厚の薄いたとえば帯状の板体を使って、滅菌ドレープＤ部分をドレープ固定溝３４に強制的に挿入する。
【００３２】
挿入された滅菌ドレープＤの部分がドレープ保持部３５に到達し、かつ充分に収容させることで、滅菌ドレープＤは表示系６を覆い、かつ表示部６Ａを除く全周囲に亘って確実にドレープ固定部品３０Ｂに取付けられる。  
このような構成であれば、表示系６を上下・左右に移動変位する際に、ドレープ固定部品３０Ｂを手で握って操作でき、移動用取手として用いるのに都合がよい。ドレープ固定部品３０Ｂを表示系６の全周に亘って取付けられ、あらゆる方向から表示系６を移動することができ、かつ他の装置との干渉の際、ガードの役割を担うことで表示系６への直接の衝撃を和らげることができる。
【００３３】
図９（Ａ）はさらなる変形例としての、内視鏡表示装置Ｎの表示系６を覆う滅菌ドレープＤに対する固定保持の構成図、図９（Ｂ）はドレープ固定部品３０Ｃの斜視図である。  
複数のドレープ固定部品３０Ｃはそれぞれ、前記表示系６外面の適宜位置に取付けられる支持ピン４０と、この支持ピン４０に巻装されるコイルばね４１と、このコイルばね４１によって弾性的に押圧付勢されドレープ受け４２とから構成される。  
前記支持ピン４０は、先端ねじ部４０ａが表示系６に螺着され、前記コイルばね４１が巻装される杆体部４０ｂの先端部に頭部４０ｃを備え、前記ドレープ受け４２は断面コ字状に形成され、その底部に支持ピン４０の杆体部４０ｂが挿通する孔部４２ａが設けられる。したがって、ドレープ受け４２はコイルばね４１によって弾性的に押圧付勢され、常にその底部が支持ピン４０の頭部４０ｃに当接する。
【００３４】
ドレープ受け４２の先端開口部はドレープ保持膜４３によって閉成される。このドレープ保持膜４３は弾性部材からなり、中心部から周端部に亘って放射状に複数本の切り込みが設けられる。  
このドレープ固定部品３０Ｃに滅菌ドレープＤを保持するには、表示系６を滅菌ドレープＤで覆ったうえにドレープ保持膜４３の切れ込みを介してドレープ受け４２に滅菌ドレープＤを押し込む。ドレープ保持膜４３は弾性部材からなるので容易に弾性変形し、ドレープ受け４２内に押し込まれた滅菌ドレープＤの束がドレープ保持膜４３で弾性的に押圧保持される。  
すなわち、ドレープ保持膜４３とドレープ受け４２に滅菌ドレープＤを指で押し込むだけで容易に固定保持することができる。また、コイルばね４０がドレープ固定部品３０Ｃの表示系６に対するクッションの作用をなし、表示系６に他の装置が干渉するようなことがあっても、ドレープ固定部品３０Ｃが直接の干渉を防止して衝撃を緩和する。  
さらに本発明は上記実施の形態に限定されるものではなく、本発明の趣旨を逸脱しない範囲で種々変形実施できることは勿論である。
【００３５】
つぎに、本出願の他の特徴的な技術事項を下記のとおり付記する。  
記  
（付記項１）  
画像を見ることのできる表示系と、前記表示系を支えるアームと、前記表示系・アームを支えるスタンドで構成される滅菌ドレープの装着が必要な表示装置に対して、ドレープ固定部品によって前記滅菌ドレープの開口端を挟み込んで固定するドレープ固定手段を有し、そのドレープ固定手段が前記表示装置のアームやスタンドに沿って移動できるドレープ端移動手段を備えたことを特徴とする表示装置における滅菌ドレープ密閉装置。  
（付記項２）  
前記ドレープ固定部品は、前記表示系に滅菌ドレープを挟み込んで固定するためのドレープ固定溝およびドレープ保持部が設けられた弾性部材を有し、前記ドレープ固定手段をつかんで前記表示系を移動できることを特徴とする付記項１記載の表示装置における滅菌ドレープ密閉装置。  
（付記項３）  
前記ドレープ固定手段は、前記表示系を保護する手段を兼用したことを特徴とする付記項１記載の表示装置における滅菌ドレープ密閉装置。  
（付記項４）  
手術装置を覆う滅菌ドレープと、前記滅菌ドレープの開口端を密閉する密閉部と、前記密閉部を前記手術装置に沿って移動可能にするドレープ端移動手段と、を具備することを特徴とする表示装置における滅菌ドレープ密閉装置。
【図面の簡単な説明】
【００３６】
【図１】本発明における一実施の形態に係る、内視鏡表示装置に滅菌ドレープを被せた状態の図と、滅菌ドレープの開口部近傍部位を密閉装置で密閉した状態の図。
【図２】同実施の形態に係る、滅菌ドレープ密閉装置の正面図。
【図３】同実施の形態に係る、滅菌ドレープ密閉装置の断面図。
【図４】同実施の形態に係る、ゴムリングの斜視図。
【図５】同実施の形態に係る、滅菌ドレープ密閉装置に滅菌ドレープを取付けるための作用説明図。
【図６】同実施の形態に係る、滅菌ドレープで覆った内視鏡表示装置を必要部位へ移動する際の状態を説明する図。
【図７】本発明における他の実施の形態に係る、内視鏡表示装置の表示系を覆う滅菌ドレープの固定構成図と、ドレープ固定部品の斜視図。
【図８】さらに他の実施の形態に係る、内視鏡表示装置の表示系を覆う滅菌ドレープの固定構成図と、ドレープ固定部品の一部斜視図。
【図９】さらに異なる他の実施の形態に係る、内視鏡表示装置の表示系を覆う滅菌ドレープの固定構成図と、ドレープ固定部品の斜視図および断面図。
【符号の説明】
【００３７】
Ｄ…滅菌ドレープ、Ｎ…内視鏡表示装置（医療装置）、１０…密閉機構（密閉手段）、１１…第１のドレープ固定具、１２…第２のドレープ固定具、１３…固定保持部（固定保持手段）。
【図１】
2006102224.tif 000003
【図２】
2006102224.tif 000004
【図３】
2006102224.tif 000005
【図４】
2006102224.tif 000006
【図５】
2006102224.tif 000007
【図６】
2006102224.tif 000008
【図７】
2006102224.tif 000009
【図８】
2006102224.tif 000010
【図９】
2006102224.tif 000011